(57)【要約】      （修正有）【課題】トマト等茎系植物をハウス栽培で大量生産する為の架設線に吊下げてあるクリップ状フックを操作するのに腕が届かないため、脚立及び台等を、使用して植物茎の高さを調整作業する作業での下半身負担を軽減させる植物吊り金具操作棒を提供する。【解決手段】植物誘引紐を仮設線に保持する三角状の吊り金具を操作するための植物吊り金具操作棒であって、シャフトＦと、シャフトＦの先端部に設けられた背面鋼Ｄと、背面鋼Ｄの両側面に直角に設けられた側面鋼Ｅと、背面鋼Ｄに直角にかつ側面鋼Ｅと同方向に連結された吊り金具通しピンＡ、とから構成され、吊り金具通しピンＡを吊り金具の三角状の中に通すとともに、背面鋼Ｄと側面鋼Ｅとにより吊り金具を安定させて、吊り金具を操作する。背面鋼ＤにマグネットＢを設け、背面鋼Ｄの近傍に引掛けフックＣを設けた。【選択図】図２
0003221334.tif 000002
【実用新案登録請求の範囲】
【請求項１】
架設線に植物を吊るす誘引紐のクリップ状フックを脱着する事ができる操作棒。
【請求項２】
架設線に通したクリップ状フックを架設線に沿い任意に位置変更できる操作棒。
【請求項３】
架設線に通したクリップ状フックを台又は脚立を使用せず操作できる操作棒。
【請求項４】
架設線に保持させるクリップ状フックをマグネットで飛び跳ね防止し、使用する操作棒。
【請求項５】
誘引具を作業し易い位置で架設線に吊るし、一時置きできるクリップ状フック付の操作棒。
【考案の詳細な説明】
【技術分野】
【０００１】
本考案は植物栽培時の生育に伴い誘引線を通し植物を保持しているクリップ状フックをコントロールする為の操作棒
【背景技術】
【０００２】
本考案はトマト等茎系植物をハウス栽培で大量生産する為の架設線に吊下げてあるクリップ状フックを操作するのに腕が届かないため、脚立及び台等を、使用して植物茎の高さを調整作業する作業での下半身負担を軽減させる操作棒。
【先行技術文献】
【特許文献】
【０００３】
【特許文献１】意匠登録1570032号公報
【考案の概要】
【考案が解決しようとする課題】
【０００４】
茎系植物栽培に使用している吊り金具を植物の成長に伴い、架設線に掛かっている吊り金具を操作するのに、脚立、台箱等を使用していたが両手作業があり足場が不安定である事と台等の上がり下り負担があり、又転倒の危険性があり、これを解消させるものである。
【課題を解決するための手段】
【０００５】
茎系植物栽培に使用している吊り金具を植物の成長に伴い、架設線に掛かっている吊金具を操作し、吊り金具共に吊紐を任意の位置に移動できるよう、操作棒で吊金具の脱着、位置移動を自在に変更できるようにする。
【考案の効果】
【０００６】
脚立及び高いところ作業の台に上がり下りをなくし、地面上作業ですべてできるようになり苗床の延長地面に不安定な台等を置いての作業をせず転倒の危険性排除、上がり下りの脚負担をなくし課題克服。
【図面の簡単な説明】
【０００７】
【図１】本考案の吊り金具操作棒示す図である。
【図２】架設線に通してある吊り金具を操作する操作棒の先端部の拡大図である。
【図３】本考案品操作棒が操作する吊り金具の図である。
【図４】トマト等茎系植物の成長に伴い高さ調整前の参考図である。
【図５】トマト等茎系植物の成長に伴い高さ調整後の参考図である。
【図６】本考案品操作棒による操作時の動き参考図である。
【図７】本考案品操作棒背面にある引掛けフックを架設線に引掛け一時置きした参考図である。
【図８】本考案の操作棒に関する操作要領を示す参考図である
【考案を実施するための形態】
【０００８】
本考案は、茎系植物栽培に使用している吊り金具を植物の成長に伴い、架設線に掛かっている吊り金具を操作するのに、脚立、踏み台等を使用していたが両手作業があり足場が不安定である事と台等の上がり下り負担と、転倒の危険性があり、これら作業を脚立、踏み台等使用せず地面上作業で行うためのものであり、茎系植物栽培に使用している吊り金具を植物の成長に伴い、架設線に掛かっている吊り金具を操作し、吊り金具と連結してある吊り紐と共に任意の位置に移動できるよう、操作棒で吊り金具の脱着、位置移動を自在に変更できるようにする。その為架設線に通してある吊り金具を移動又架設線をささえている丸棒等とび越して位置移動するのに吊り金具の脱着作業は避けられずこれら一連作業を操作棒で地面上作業を可能とするものである。
図２を使いながら、本考案に係る吊り金具操作棒の基本的な構造を説明する。本考案に係る吊り金具操作棒は、架設線に吊り下げられた吊り金具を架設線に対して回転させて、架設線から外すための隙間を確保するための操作棒である。吊り金具操作棒は、架設線までの高さを確保するためのシャフトＦの先端に、図２に示すように各種操作部材が配置されている。背面鋼Ｄは吊り金具通しピンと直角連結され吊り金具操作時安定させるものであり、吊り金具通しピンＡは背面鋼と直角に連結され吊り金具と架設線から抜き取る隙間を確保する為と架設線に沿い位置移動をさせる為のものであり、マグネットＢは吊り金具の飛び出し位置安定させるものであり、引掛けフックＣは他作業時架設線に引掛け一時置きさせる為のものであり、背面鋼Ｄは吊り金具通しピンと直角連結され吊り金具操作時安定させるものであり、側面鋼Ｅは背面鋼と直角に連結され吊り金具操作時吊り金具を安定させるものであり、シャフトＦは手の届かない位置での作業可能にする事と腕の長さ以上の位置移動を可能にするものである。
吊り金具の三角状の中(図3)に通しピン(図2のA)を挿入し、操作棒を吊り金具のスライド可能方向に振り出せば架設線に沿い移動し、背面鋼のついているマグネット(図2のB)に吊り金具をはり付け、押し上げ(図８の（ロ）（ハ）)右回転方向にねじれば架設線から外れ(図8ホ)又、架設線に吊り金具の引掛け部(図8ホのG)右回しながら操作棒を引き下ろす(図8ヘ)と架設線の任意な場所に位置移動が出来る。
以下、添付図面に一実施例を説明する。操作棒本体(F)はステンレスパイプで一体化形成〜されていて先端部の飛び出している吊り金具に通しピン(A)を吊り金具内に通し両側面鋼内に入れ背面鋼(D)にあるマグネット(B)にはりつけ、ねじりながら押し上げると架設線から外せ、架設線を支える丸棒等を飛び越えて位置移動時外し、再挿入時(図3引掛け部)を架設線に掛け(図8の(へ))右に回しながら引き下げると再挿入する。又引掛けフック(C)を架設線に引掛けると操作棒の一時置きができる。   
【符号の説明】
【０００９】
A  吊金具通しピン
B  マグネット 
C  吊りフック 
D  背面鋼
E  側面鋼
F  シャフト
【図１】
0003221334.tif 000003
【図２】
0003221334.tif 000004
【図３】
0003221334.tif 000005
【図４】
0003221334.tif 000006
【図５】
0003221334.tif 000007
【図６】
0003221334.tif 000008
【図７】
0003221334.tif 000009
【図８】
0003221334.tif 000010
【手続補正書】
【提出日】平成31年3月15日(2019.3.15)
【手続補正１】
【補正対象書類名】実用新案登録請求の範囲
【補正対象項目名】全文
【補正方法】変更
【補正の内容】
【実用新案登録請求の範囲】
【請求項１】
植物誘引紐を仮設線に保持する三角状の吊り金具を操作するための植物吊り金具操作棒であって、シャフトＦと、シャフトＦの先端部に設けられた背面鋼Ｄと、背面鋼Ｄの両側面に直角に設けられた側面鋼Ｅと、背面鋼Ｄに直角にかつ側面鋼Ｅと同方向に連結された吊り金具通しピンＡ、とから構成され、
吊り金具通しピンＡを吊り金具の三角状の中に通すとともに、背面鋼Ｄと側面鋼Ｅとにより吊り金具を安定させて、吊り金具を操作することを特徴とする植物吊り金具操作棒。
【請求項２】
背面鋼ＤにマグネットＢを設けることを特徴とする請求項１に記載の植物吊り金具操作棒。
【請求項３】
背面鋼Ｄの近傍に引掛けフックＣを設けたことを特徴とする請求項１又は請求２に記載の植物吊り金具操作棒。